(57)【要約】      （修正有）【課題】揺れ等を生じることなく病人や老人や身体障害者等を避難タワーに引き上げる避難タワーの引き上げ装置を提供する。【解決手段】引き上げ装置１は、避難タワー２の避難ステージに一対の門型支柱を取り付け、一方の門型支柱の主支持梁１８Ａに設けた主ガイドローラ２２に通した親綱ロープ２５の一端に避難者を搭乗させる着座部２８及び支持フレーム２７を吊り下げ、親綱ロープ２５の他端側を手動ウインチ３１に巻回してハンドルで巻き上げることで着座部２８及び支持フレーム２７を吊り上げ、他方の門型支柱の副支持梁１８Ｂに固定部と回転ローラを取り付け、その下方の地上床面３２に固定した受けローラ３３Ｂ、３３Ａとの間に第一ガイドワイヤ、第二ガイドワイヤを鉛直に緊張させ、支持フレーム２７と着座部２８は第一及び第二ガイドローラにガイドされて親綱ロープ２５で吊り上げる。【選択図】図５
2017137642.tif 000002
【特許請求の範囲】
【請求項１】
高所に避難ステージを取り付けた避難タワーと、
避難者を搭乗させる搭乗部材と、
前記避難ステージに取り付けた支持部材と、
前記支持部材に取り付けられていて前記搭乗部材を前記避難ステージ上に吊り上げできる索状体と、
前記索状体に沿って設置されていて前記索状体による搭乗部材の上昇をガイドするガイド部材とを備え、
前記索状体を手動で引き上げることで前記搭乗部材を前記避難ステージ上に吊り上げるようにしたことを特徴とする避難タワーの引き上げ装置。
【請求項２】
前記搭乗部材と索状体とガイド部材は、不使用時に前記避難ステージに設置した収納ボックスに収納されている請求項１に記載された避難タワーの引き上げ装置。
【請求項３】
地上に前記ガイド部材の受け部が固定されており、前記引き上げ装置の使用時に前記ガイド部材を前記支持部材から垂下させて前記受け部に係合するようにした請求項１または２に記載された避難タワーの引き上げ装置。
【発明の詳細な説明】
【技術分野】
【０００１】
本発明は、例えば津波や洪水等が陸地に押し寄せた際に健常者や病人や身体障害者等が安全に高所の避難タワーに避難できるようにした避難タワーの引き上げ装置に関する。
【背景技術】
【０００２】
従来、津波や河川の氾濫等による洪水等が周辺地域に押し寄せてきた場合、高台に避難する余裕のない住民等が緊急に避難する場所として避難タワーが設置されている。このような避難タワーの避難設備として例えば特許文献１及び２に記載されたものが提案されている。
特許文献１に記載された避難タワーでは最上階層の避難ステージに設けた手動ウインチ台に回転ドラムと鋼製ロープを備えた手動ウインチを設置している。手動ウインチのハンドルを手動操作することで、鋼管柱内で鋼製ロープに取り付けた物品収納バッグを避難ステージから吊り上げと吊り下げを行い、鋼管柱の開口部から内部に収納または外部に取り出すようにしている。
【０００３】
また、特許文献２に記載された避難装置では、二つの建造物の間で高所に吊り掛け架線を掛けて置き、吊り掛け架線に取り付けた所定間隔の連結点から吊り下げた吊り持ちワイヤの下端にフレーム状の搭乗手段を取り下げている。津波等の際に避難者が搭乗手段の座部に乗ってペダルを漕ぐことで搭乗手段内の巻きドラムで吊り持ちワイヤを巻き付けながら搭乗手段を上昇させ、吊り掛け架線の高さまで上昇すると避難できるとしている。
【先行技術文献】
【特許文献】
【０００４】
【特許文献１】特開２０１３−２５６７７２号公報
【特許文献２】特開２０１４−１０８３４０号公報
【発明の概要】
【発明が解決しようとする課題】
【０００５】
しかしながら、特許文献１に記載の避難装置は鋼管柱内で物品収納バッグを昇降させるものであり、病人や老人や身体障害者等を吊り上げることは困難であった。特許文献２に記載の避難装置は搭乗者自身がペダルを漕ぐことで搭乗手段を吊り上げるため、病人や老人や身体障害者等を吊り上げることはできなかった。
しかも、特許文献１や２に記載された避難装置では、物品収納バッグや搭乗手段を１本の鋼製ロープや吊り持ちワイヤ等の索状体で昇降させるため、索状体で吊り持ち支持する位置と物品収納バッグや搭乗手段の重心とがずれていると、上昇する際に物品収納バッグや搭乗手段が索状体回りに回転や振動を引き起こすおそれがあった。索状体が回転や揺れを生じると支柱などに衝突したり物品が落下したりするおそれがあった。
【０００６】
本発明は、このような事情に鑑みてなされたものであって、揺れ等を生じることなく病人や老人や身体障害者等を避難タワーに引き上げることができるようにした避難タワーの引き上げ装置を提供することを目的とする。
【課題を解決するための手段】
【０００７】
本発明に係る避難タワーの引き上げ装置は、高所に避難ステージを取り付けた避難タワーと、避難者を収納する搭乗部材と、避難ステージに取り付けられた支持部材と、支持部材に取り付けられていて搭乗部材を避難ステージ上に吊り上げできる索状体と、索状体に沿って設置されていて索状体による搭乗部材の上昇をガイドするガイド部材とを備え、索状体を手動で引き上げることで搭乗部材を吊り上げるようにしたことを特徴とする。
本発明によれば、避難者が搭乗した搭乗部材を支持部材に取り付けた索状体で引き上げる際に、ガイド部材で搭乗部材を同一姿勢となるようガイドしつつ索状体で引き上げることで避難者を避難ステージまで引き上げることができる。その際、搭乗部材の重心が索状体の位置とずれていたとしても搭乗部材はガイド部材によって支持されていて回転運動や揺れ等を阻止できる。
なお、搭乗部材には急激な落下を阻止する墜落防止器具を取り付けていてもよい。
【０００８】
また、搭乗部材と索状体とガイド部材は、不使用時に避難ステージに設置した収納ボックスに収納されていてもよい。
通常では搭乗部材と索状体とガイド部材等は通常、収納ボックス内に保管されており、津波や洪水等が発生した際に搭乗部材と索状体とガイド部材等を地上に下ろして避難者を引き上げることができる。
【０００９】
また、地上にガイド部材の受け部が設置されており、引き上げ装置の使用時にガイド部材を支持部材から垂下させて受け部に係合するようにしてもよい。
引き上げ装置の使用時にガイド部材の先端を地上床面に固定した受け部に係合させることで搭乗部材の上昇をガイド部材でガイドさせることができる。
【発明の効果】
【００１０】
本発明による避難タワーの引き上げ装置によれば、避難者等が搭乗した搭乗部材を索状体で引き上げる際に搭乗部材はガイド部材によってガイドされているため、搭乗部材が回転や揺れ等を起こすことなく、索状体によって同一姿勢で直線的に避難ステージまで引き上げることができる。そのため、避難者が老人や病人や身体障害者等であっても容易に吊り上げることができる。
【図面の簡単な説明】
【００１１】
【図１】本発明の実施形態による引き上げ装置を取り付け可能な避難タワーを示す斜視図である。
【図２】避難タワーの避難ステージに取り付けた引き上げ装置を示す側面説明図である。
【図３】図２に示す引き上げ装置の要部平面図である。
【図４】引き上げ装置の着座部の上昇工程を示す正面説明図である。
【図５】実施形態による引き上げ装置の上昇工程を示す側面説明図である。
【図６】避難ステージに上昇した着座部を示す要部平面図である。
【発明を実施するための形態】
【００１２】
以下、本発明の実施形態による避難タワーの引き上げ装置について添付図面によって説明する。
図１は、本実施形態における引き上げ装置１を備えた避難タワー２の一例を示す斜視図である。図１において、避難タワー２は例えば沿岸部や河川の流域に設けられる避難設備であり、地盤中に構築される基礎部３と、基礎部３から鉛直上方に延びるよう設けられた複数本の柱４と、互いに隣接する柱４間に設けられた梁５と、を少なくとも備えている。柱４は例えばＰＣコンクリートや鋼材等であり、梁５はＨ鋼等の鋼材である。
避難タワー２は例えば平面視略矩形状であり、柱４は四隅にそれぞれ配置されている。梁５は避難タワー２の外形形状に沿って互いに隣接する柱４，４間に架設されている。平面視矩形状の避難タワー２において、梁５は柱４の上下方向に間隔を開けて例えば柱４の中間部と上端部とに上下２層に設けられている。
【００１３】
柱４の中間部と上端部の高さで略直交配置された梁５の角部内側には補強ブレース６が設けられている。避難タワー２の最上部の高所には床として避難ステージ７が設けられている。避難ステージ７は、柱４の上端部に接合された梁５上に敷設された床面８とその外周部を囲うように設けられた柵体９とを備えている。床面８は例えばメッシュ状の鋼板で形成したが、シート状の鋼板で形成してもよい。避難タワー２の外周部には、地上から避難ステージ７に上るための階段１０が設けられている。
このような避難タワー２において、避難ステージ７の一部に引き上げ装置１を収納した収納小屋等の収納ボックス１３が設置されている。次に引き上げ装置１について図２から図６に基づいて説明する。
【００１４】
図２乃至図４では、避難ステージ７の床面８上で柵体９の内側に引き上げ装置１の枠部として幅の異なる平面視略コの字状の第一手摺１５と第二手摺１６が対向して配設されている。幅広の第一手摺１５の内部には一対の門型支柱１４Ａ、１４Ｂが設置されている。各門型支柱１４Ａ，１４Ｂには各一対の支柱１７Ａ，１７Ｂが対向して支持されている。
一方の門型支柱１４Ａの２本の支柱１７Ａの上部に主支持梁１８Ａが設置され、他方の門型支柱１４Ｂの２本の支柱１７Ｂ間には各支柱１７Ｂを連結する副支持梁１８Ｂが設置されている。各門型支柱１４Ａ，１４Ｂの主支持梁１８Ａと副支持梁１８Ｂの両端は互いに梁部で連結されている。
【００１５】
図２及び図３に示す第一手摺１５及び第二手摺１６内には、床面８を切り欠いた例えば四角形状の穴部１９が形成されており、更に穴部１９を開閉可能な四角形板状の可動床２０がスライド可能に設置されている。この可動床２０の両側部に一対の横手摺２０ａが設置され、更に可動床２０の一端面にも前手摺２０ｂが設置されている。そして、横手摺２０ａと前手摺２０ｂのいずれかを把持してスライドさせることで可動床２０を移動させて穴部１９を開閉させる。主支持梁１８Ａと副支持梁１８Ｂは穴部１９の上方に設置されている。
なお、第二手摺１６の両側部には開閉可能なドア部１６ａが設けられている。
【００１６】
図３乃至図６において、穴部１９の上方に設置された一方の門型支柱１４Ａにおける主支持梁１８Ａの長手方向中央の上部に主ガイドローラ２２が取り付けられている。他方の門型支柱１４Ｂにおける副支持梁１８Ｂの長手方向中央の上部に副ガイドローラ２３が取り付けられている。
これら主ガイドローラ２２と副ガイドローラ２３には引上げ救助用で例えば鋼製または樹脂製等からなる親綱ロープ２５が索状体として設置され、主ガイドローラ２２と副ガイドローラ２３で走行をガイドされる親綱ロープ２５の一端は下方に垂下してフック２６が固定されている。
【００１７】
このフック２６には例えば略四角形の支持フレーム２７の上枠２７ａが取り付けられ、支持フレーム２７の下枠２７ｂには避難者が着座する着座部２８が連結されている。着座部２８は例えば椅子型を有していて、避難者を保護するシートベルト２９が取り付けられている。なお、避難者を保持する搭乗部材として着座部２８に代えて担架等を採用してもよく、病人等を仰臥状態で吊り上げできる。
また、親綱ロープ２５の他端は例えば副ガイドローラ２３を介して床面８上に設置した手動ウインチ３１に巻回されている。この手動ウインチ３１は図示しないハンドルで手動回転させて親綱ロープ２５を回転ドラムに巻き込みまたは繰り出しできる。なお、手動ウインチ３１を設けずに他の避難者や作業者等が手動で親綱ロープ２５を掴んで支持フレーム２７及び着座部２８を引き上げるようにしてもよい。
【００１８】
図４及び図５において、支持フレーム２７の近傍位置の下方の地上床面３２には受け部として例えば２つの受けローラ３３Ａ、３３Ｂがそれぞれアンカーで固定されている。一方、穴部１９の上方に設置された副支持梁１８Ｂの下側にはガイドワイヤ３６の固定部３７と回転ローラ３８がそれぞれ取り付けられている。
固定部３７に一端が固定されたガイドワイヤ３６は地上床面３２で一方の受けローラ３３Ａを巻回して他方の受けローラ３３Ｂを介して上方に向かって回転ローラ３８に巻回している。回転ローラ３８を巻回したガイドワイヤ３６の他端は他方の門型支柱１４Ｂの支柱１７Ｂに固定された緊張用手動ウインチ４１の回転ドラムに巻回されている。
【００１９】
そのため、避難用の引き上げ装置１の使用時には緊張用手動ウインチ４１を巻き込むことでガイドワイヤ３６を緊張状態に保持できる。この状態で、固定部３７と受けローラ３３Ａとの間のガイドワイヤ３６（これを第一ガイドワイヤ３６ａとする）と回転ローラ３８と受けローラ３３Ｂとの間のガイドワイヤ３６（これを第二ガイドワイヤ３６ｂとする）は互いに平行で鉛直方向に緊張した状態で保持される。
しかも、第一ガイドワイヤ３６ａと第二ガイドワイヤ３６ｂは支持フレーム２７の各縦枠２７ｃから離れた平行な位置に例えば略鉛直に設置されている。
【００２０】
そして、図５において、着座部２８の支持フレーム２７の両縦枠２７ｃの上部と下部から水平方向にそれぞれ延びる連結杆４０ａ、４０ｂの自由端には例えば円筒状のガイド管４２ａがそれぞれ設けられている。この上下一対のガイド管４２ａ内を第一及び第二ガイドワイヤ３６ａ、３６ｂがそれぞれ挿通している。
そのため、着座部２８が支持フレーム２７と共に親綱ロープ２５で上下動する際、支持フレーム２７は２条の第一ガイドワイヤ３６ａと第二ガイドワイヤ３６ｂに沿って昇降するため、安定して昇降できる。しかも４本の連結杆４０ａ、４０ｂは例えば同一長さであるため、着座部２８と支持フレーム２７は第一及び第二ガイドワイヤ３６ａ、３６ｂから等間隔に支持されて昇降できる。
【００２１】
また、一方の門型支柱１４Ａの主支持梁１８Ａには吊り下げワイヤ４４ａを介して支持フレーム２７の上枠２７ａに連結した例えば安全ブロックからなる墜落防止器具４４が連結されている。墜落防止器具４４は支持フレーム２７が低速で降下する場合には吊り下げワイヤ４４ａを繰り出し可能であるが、急速に降下した場合には繰り出しが阻止されて落下を防止する公知の安全器具である。
なお、通常の状態において、支持フレーム２７と着座部２８は避難ステージ７の床面８上に引き上げている。同様に、ガイドワイヤ３６も一端部を固定部３７から取り外し、避難ステージ７上に引き上げて置く。これらの部材は収納ボックス１３内に収納しておくとよい。収納ボックス１３内には非常用食料や水等を備蓄できる。
【００２２】
本実施形態による避難タワー２の引き上げ装置１は上述した構成を備えており、次に引き上げ装置１を用いた避難ステージ７への避難方法について説明する。
津波や洪水等が予想される場合、作業者が避難ステージ７で可動床２０を移動させて穴部１９を開口させる。そして、予め着座部２８と支持フレーム２７を親綱ロープ２５と共に避難ステージ７の床面８の穴部１９から降ろして地上床面３２に近接した位置に設置する。
【００２３】
また、ガイドワイヤ３６も緊張用手動ウインチ４１から繰り出して回転ローラ３８を介して地上床面３２に垂下させる。このガイドワイヤ３６は予め副支持梁１８Ｂの固定部３７に一端を固定してあり、中間部分を引き延ばして地上床面３２に固定してある受けローラ３３Ａ，３３Ｂに引掛ける。ガイドワイヤ３６の取り付け状態で、緊張用手動ウインチ４１をハンドルで巻き上げることで、固定部３７との間のガイドワイヤ３６を緊張状態に保持する。ガイドワイヤ３６を緊張状態に保持することで第一及び第二ガイドワイヤ３６ａ、３６ｂは支持フレーム２７及び着座部２８を引き上げる際のガイドとして機能する。
【００２４】
この状態で、図４及び図５に示すように、病人や老人や身障者等の身体の不自由な避難者を地上床面３２から着座部２８に着座させてシートベルト２９で締め込む。そして、避難ステージ７で作業者が手動ウインチ３１のハンドルを回転させることで親綱ロープ２５を回転ドラムに巻き取ることで親綱ロープ２５を吊り上げ、フック２６を介して着座部２８と支持フレーム２７を上方に吊り上げて上昇させる。
このとき、親綱ロープ２５と避難者を載せた着座部２８及び支持フレーム２７の重心とがずれていたとしても支持フレーム２７の縦枠２７ｃ、２７ｃは連結杆４０ａ、４０ｂを介して２本の第一及び第二ガイドワイヤ３６ａ、３６ｂで保持されているため、回転したり揺動したりすることを阻止されて直線状に上昇する。
【００２５】
そして、図５において、支持フレーム２７と避難者を載せた着座部２８が穴部１９を通して避難ステージ７の床面８の上方に至ると、可動床２０をスライドさせて着座部２８の避難者の下側で穴部１９を閉鎖させる。その後、シートベルト２９を外して避難者を着座部２８から降ろし、図６に示すように第二手摺１６のドア部１６ａを開いて避難者を避難ステージ７上の安全な場所に移動させ保護することができる。
また、次の避難者を引き上げる場合には、可動床２０を開いて手動ウインチ３１のハンドルを逆回転させることで親綱ロープ２５を回転ドラムから繰り出し、穴部１９を通して支持フレーム２７と着座部２８を第一及び第二ガイドワイヤ３６ａ、３６ｂに沿って地上床面３２付近に降下させる。そして、上述した動作を繰り返すことで、順次、避難者を避難タワー２の避難ステージ７上に引き上げて避難させることができる。
【００２６】
上述したように本実施形態による避難タワー２の引き上げ装置１によれば、津波や洪水等の際に自力で階段を上がれない老人や病人や身体障害者等を避難タワー２に避難させる場合、避難者を着座させる着座部２８とその支持フレーム２７を親綱ロープ２５で引き上げると共に、支持フレーム２７は上昇時に第一及び第二ガイドワイヤ３６ａ、３６ｂにガイドされるために回転運動や揺れ等を生じることなく直線的に安全に上昇できる。
また、支持フレーム２７は吊り下げワイヤ４４ａを介して墜落防止器具４４に接続されているため、万一親綱ロープ２５が切断されたり主ガイドローラ２２等から外れりした場合でも、支持フレーム２７と着座部２８の落下を阻止できる。
【００２７】
また、収納ボックス１３は支持フレーム２７と着座部２８を昇降させる門型支柱１４Ａ，１４Ｂと穴部１９を囲う領域に設置したため、津波や洪水等の警報が発生すると迅速に引き上げ装置１を組み立てることができて避難者の救助を行える。しかも、不使用時には、収納ボックス１３はこれら引き上げ装置１の各部品を収納保管して風雨による損傷を防ぐと共に非常用食料等の備蓄倉庫として使用できる。
【００２８】
なお、本発明は上述の実施形態による避難タワー２の引き上げ装置１に限定されることはなく、本発明の要旨を変更しない範囲で適宜の変更や置換等が可能であり、これらはいずれも本発明に含まれる。以下に、本発明の変形例等について説明するが、上述の実施形態と同一または同様な部分、部材には同一の符号を用いて説明を省略する。
【００２９】
例えば、上述した実施形態では２本の第一及び第二ガイドワイヤ３６ａ、３６ｂで支持フレーム２７及び着座部２８の引き上げをガイドするようにしたが、これに限定されることなく、１本のガイドワイヤ３６でガイドしてもよいし、３本以上のガイドワイヤ３６でガイドしてもよい。
また、上述の実施形態では、支持フレーム２７及び着座部２８の引き上げ場所を避難ステージ７の床面８上に設定したが、これに代えて床面８の外側、即ち避難ステージ７の外側に一対の門型支柱１４Ａ，１４Ｂを張り出して親綱ロープ２５で支持フレーム２７及び着座部２８を引き上げられるようにしてもよい。この場合には穴部１９や可動床２０等の設置が不要になる。
【００３０】
なお、上述した実施形態では着座部２８として椅子型の着座部を設けたがこれに代えて担架でもよいし、支持フレーム２７を四角形枠状以外に三角形枠状等の多角形枠状に形成してもよいし、或いはボックス型にして内部に椅子等を設置してもよく着座部２８や支持フレーム２７の形状は任意である。これら着座部２８や担架や支持フレーム２７等は搭乗部材に含まれる。
また、収納ボックス１３は床面８上の任意の位置に設置できる。また、親綱ロープ２５で吊り上げるのは避難者だけでなく荷物などでもよい。門型支柱１４Ａ、１４Ｂは支持部材に含まれる。ガイドワイヤ３６、第一ガイドワイヤ３６ａ、第二ガイドワイヤ３６ｂはガイド部材に含まれる。
【符号の説明】
【００３１】
１  引き上げ装置
２  避難タワー
７  避難ステージ
１３  収納ボックス
１４Ａ、１４Ｂ  門型支柱
１７Ａ、１７Ｂ  支柱
１８Ａ  主支持梁
１８Ｂ  副支持梁
１９  穴部
２０  可動床
２２  主ガイドローラ
２７  支持フレーム
２８  着座部
３１  手動ウインチ
３３Ａ、３３Ｂ  受けローラ
３６  ガイドワイヤ
３６ａ  第一ガイドワイヤ
３６ｂ  第二ガイドワイヤ
３７  固定部
３８  回転ローラ
４０ａ、４０ｂ  連結杆
４１  緊張用手動ウインチ
４４  墜落防止器具
【図１】
2017137642.tif 000003
【図２】
2017137642.tif 000004
【図３】
2017137642.tif 000005
【図４】
2017137642.tif 000006
【図５】
2017137642.tif 000007
【図６】
2017137642.tif 000008